(57)【要約】【課題】プーリーライニングを補修するに際し、より短時間で簡便に、既設のライニングを剥がすことなく、ライニングの摩耗した部分の表面を滑らかな状態に補修することができるプーリーライニングの補修方法及び補修装置を提供する。【解決手段】ワイヤ１６を巻き付けて絞りロール１２をプーリー１に密着させ、レンチ１４の操作によってプーリー１を回転させながら、プーリー１と絞りロール１２の間に送り込まれたシート１９とプーリー１のライニング欠如部分４との間に不定形のライニング材２２を充填する。【選択図】            図１
2004351340.tif 000002
【特許請求の範囲】
【請求項１】
プーリーの周面のライニングを補修するためのプーリーライニングの補修方法であって、回転軸に回転自由に取り付けられた絞りロールの周面を前記プーリーの周面と密着させ、その状態で前記プーリーを回転させて、先端を前記プーリーの周面に貼り付けたシートを前記プーリーの周面と前記絞りロールの周面との間に送り込みながら、前記プーリーのライニング欠如部分と前記シートとの間に不定形のライニング材を充填することを特徴とするプーリーライニングの補修方法。
【請求項２】
プーリーの周面のライニングを補修するためのプーリーライニングの補修方法であって、ワイヤシーブを有する回転軸に回転自由に絞りロールを取り付け、前記ワイヤシーブと前記プーリーとの間にワイヤを巻き付けて前記プーリーの周面と前記絞りロールの周面とを密着させ、その状態で前記ワイヤシーブをレンチで回転させることによって前記プーリーを回転させて、先端を前記プーリーの周面に貼り付けたシートを前記プーリーの周面と前記絞りロールの周面との間に送り込みながら、前記プーリーのライニング欠如部分と前記シートとの間に不定形のライニング材を充填することを特徴とするプーリーライニングの補修方法。
【請求項３】
プーリーの周面のライニングを補修するためのプーリーライニングの補修方法であって、絞りロールを回転自由に取り付けた回転軸にワイヤを巻き付けて引き寄せることにより、前記プーリーの周面と前記絞りロールの周面とを密着させ、その状態で前記プーリーを回転させて、先端を前記プーリーの周面に貼り付けたシートを前記プーリーの周面と前記絞りロールの周面との間に送り込みながら、前記プーリーのライニング欠如部分と前記シートとの間に不定形のライニング材を充填することを特徴とするプーリーライニングの補修方法。
【請求項４】
プーリーの周面のライニングを補修するためのプーリーライニングの補修装置であって、回転軸に回転自由に取り付けられた絞りロールと、該絞りロールの周面と前記プーリーの周面とを密着させるための密着手段と、前記プーリーを回転させる回転手段と、先端が前記プーリーの周面に貼り付けられ、前記プーリーの回転にともなって前記プーリーの周面と前記絞りロールの周面との間に送り込まれるシートと、前記プーリーのライニング欠如部分と前記シートとの間に不定形のライニング材を充填するためのライニング材充填手段とを有することをプーリーライニングの補修装置。
【請求項５】
プーリーの周面のライニングを補修するためのプーリーライニングの補修装置であって、ワイヤシーブを有する回転軸に回転自由に取り付けられた絞りロールと、前記ワイヤシーブを回転させるためのレンチと、前記プーリーの周面と前記絞りロールの周面とを密着させるとともに、前記ワイヤシーブの回転軸をレンチで回転させることによって前記プーリーを回転させるために前記ワイヤシーブと前記プーリーとの間に巻き付けられたワイヤと、先端が前記プーリーの周面に貼り付けられ、前記プーリーの回転にともなって前記プーリーの周面と前記絞りロールの周面との間に送り込まれるシートと、前記プーリーのライニング欠如部分と前記シートとの間に不定形のライニング材を充填するためのライニング材充填手段とを有することをプーリーライニングの補修装置。
【請求項６】
プーリーの周面のライニングを補修するためのプーリーライニングの補修装置であって、回転軸に回転自由に取り付けられた絞りロールと、前記プーリーの周面に前記絞りロールの周面を引き寄せて密着させるために前記絞りロールの回転軸に巻き付けられたワイヤと、前記プーリーを回転させる回転手段と、先端が前記プーリーの周面に貼り付けられ、前記プーリーの回転にともなって前記プーリーの周面と前記絞りロールの周面との間に送り込まれるシートと、前記プーリーのライニング欠如部分と前記シートとの間に不定形のライニング材を充填するためのライニング材充填手段とを有することをプーリーライニングの補修装置。
【発明の詳細な説明】
【０００１】
【従来の技術】
この種のプーリーはプーリー母材（例えば鉄母材）の減耗防止、搬送材料の付着防止等から耐摩耗ゴムライニング、セラミックライニング等のライニングが施されている。経時によってプーリー母材の鉄皮部分が見え始めるとコンベヤ設備からプーリーを取り外し、工場内に持ち込み、ライニングを全面剥し、新規ライニングに張替え、再度、工場から現場に運搬し取り付ける。一般に、プーリーの設置箇所は高所であり、また、重量物であるため、レッカーを使用しプーリーの上げ下ろしを行っている。
【０００２】
プーリーライニングの摩耗は、一般にベルトが掛けられる幅方向中央部等に発生する部分的な摩耗が大部分である。
【０００３】
図５はプーリーライニングに発生した摩耗状態の一例を示す模式図である。図５において、プーリー１はプーリー母材１ａの鉄皮２の表面にライニング３が施されている。ライニング３は経時によって幅方向中央部等に摩耗が部分的に発生する。４は摩耗部分を示す。また、５はプーリーの回転軸、６はプーリーの回転軸５の回転を支持する軸受を示す。
【０００４】
しかるに、前記したプーリーライニングの補修方法では、全ライニングの内僅かな部分の補修であっても全面取り替えをしており、大部分のライニング部は無駄に処理されている。
【０００５】
また、前記ライニングの補修のために、プーリーの取り外し工事が必要であり、これも無駄な仕事になっている。
【０００６】
また、ライニングの補修についての時間的余裕がない設備では予備のライニングを施しているプーリーを用意しておかなければならず補修コスト高となる。
【０００７】
そこで、その対策として、現地で摩耗した部分の補修に不定形ライニング材による補修が試みられているが、ライニングした部分が下側になると前記ライニング材が垂れ下がり、プーリーから剥離してしまう。そのために、垂れ下がらない程度に養生しながら回転させて行うことが考えられるが、時間を要し、表面形状も凹凸になり現地での施工は困難である。
【０００８】
その他の対策として、プーリーの母材表面例えば鉄皮に網目状の鋼材を溶接して取り付け、垂れ下がりの防止と均一な厚みを得る方法が試みられているが、この方法は元のライニング材を全部剥がさなければならず、現地で施工することは困難である。
【０００９】
それらに対して、ライニングを一つ以上に分割して、それらのライニングの端部に雌ネジを配し、該雌ネジにネジボルトを螺着して、ライニングをコンベヤプーリーに取り付けるコンベヤプーリーライニングの取替え方法が提示されている（例えば、特許文献１参照。）。
【００１０】
また、プーリーに成型ベルトを巻き付け、プーリーの周面と成型ベルトとの間に付着防止シートを挿入し、成型ベルトと付着防止シートとを一体にしてプーリーの回転に同調させプーリーライニングの欠如部分と付着防止シートとの間に不定形のライニング材を充填するプーリーライニングの補修方法が提示されている（例えば、特許文献２参照。）。
【００１１】
【特許文献１】
特開平３−１６２３０６号公報
【００１２】
【特許文献２】
特開２００２−３７０８１５号公報
【００１３】
【発明が解決する課題】
しかし、前記特許文献１に記載の方法は、ライニングを一つ以上に分割して、それらのライニングの端部をボルトナットで螺着して、現地でのライニングの取り替えを簡便且つ短時間で行うことができるというものであるが、この方法においても補修を必要とする部分を補修できるようにライニングを分割することは困難であり、取り替えを必要としない部分も一緒に処理される。
【００１４】
これに対して、前記特許文献２に記載の方法は、既設のライニングを剥がすことなく、比較的短時間で、ライニングの摩耗した部分の表面を滑らかな状態に補修できるのであるが、プーリーに巻き付けた成型ベルトに張力を与えるためにテンションローラを設置する必要があることやプーリーを回転させる作業と不定形のライニング材を充填する作業とを別の作業員が行う必要があるといった問題がある。
【００１５】
本発明は、上記のような問題点を解決するためになされたものであり、より短時間で簡便に、既設のライニングを剥がすことなく、ライニングの摩耗した部分の表面を滑らかな状態に補修することができるプーリーライニングの補修方法及び補修装置を提供することを目的とするものである。
【００１６】
【課題を解決するための手段】
上記の課題を解決するために、本発明は以下の特徴を有する。
【００１７】
［１］プーリーの周面のライニングを補修するためのプーリーライニングの補修方法であって、回転軸に回転自由に取り付けられた絞りロールの周面を前記プーリーの周面と密着させ、その状態で前記プーリーを回転させて、先端を前記プーリーの周面に貼り付けたシートを前記プーリーの周面と前記絞りロールの周面との間に送り込みながら、前記プーリーのライニング欠如部分と前記シートとの間に不定形のライニング材を充填することを特徴とするプーリーライニングの補修方法。
【００１８】
［２］プーリーの周面のライニングを補修するためのプーリーライニングの補修方法であって、ワイヤシーブを有する回転軸に回転自由に絞りロールを取り付け、前記ワイヤシーブと前記プーリーとの間にワイヤを巻き付けて前記プーリーの周面と前記絞りロールの周面とを密着させ、その状態で前記ワイヤシーブをレンチで回転させることによって前記プーリーを回転させて、先端を前記プーリーの周面に貼り付けたシートを前記プーリーの周面と前記絞りロールの周面との間に送り込みながら、前記プーリーのライニング欠如部分と前記シートとの間に不定形のライニング材を充填することを特徴とするプーリーライニングの補修方法。
【００１９】
［３］プーリーの周面のライニングを補修するためのプーリーライニングの補修方法であって、絞りロールを回転自由に取り付けた回転軸にワイヤを巻き付けて引き寄せることにより、前記プーリーの周面と前記絞りロールの周面とを密着させ、その状態で前記プーリーを回転させて、先端を前記プーリーの周面に貼り付けたシートを前記プーリーの周面と前記絞りロールの周面との間に送り込みながら、前記プーリーのライニング欠如部分と前記シートとの間に不定形のライニング材を充填することを特徴とするプーリーライニングの補修方法。
【００２０】
［４］プーリーの周面のライニングを補修するためのプーリーライニングの補修装置であって、回転軸に回転自由に取り付けられた絞りロールと、該絞りロールの周面と前記プーリーの周面とを密着させるための密着手段と、前記プーリーを回転させる回転手段と、先端が前記プーリーの周面に貼り付けられ、前記プーリーの回転にともなって前記プーリーの周面と前記絞りロールの周面との間に送り込まれるシートと、前記プーリーのライニング欠如部分と前記シートとの間に不定形のライニング材を充填するためのライニング材充填手段とを有することをプーリーライニングの補修装置。
【００２１】
［５］プーリーの周面のライニングを補修するためのプーリーライニングの補修装置であって、ワイヤシーブを有する回転軸に回転自由に取り付けられた絞りロールと、前記ワイヤシーブを回転させるためのレンチと、前記プーリーの周面と前記絞りロールの周面とを密着させるとともに、前記ワイヤシーブの回転軸をレンチで回転させることによって前記プーリーを回転させるために前記ワイヤシーブと前記プーリーとの間に巻き付けられたワイヤと、先端が前記プーリーの周面に貼り付けられ、前記プーリーの回転にともなって前記プーリーの周面と前記絞りロールの周面との間に送り込まれるシートと、前記プーリーのライニング欠如部分と前記シートとの間に不定形のライニング材を充填するためのライニング材充填手段とを有することをプーリーライニングの補修装置。
【００２２】
［６］プーリーの周面のライニングを補修するためのプーリーライニングの補修装置であって、回転軸に回転自由に取り付けられた絞りロールと、前記プーリーの周面に前記絞りロールの周面を引き寄せて密着させるために前記絞りロールの回転軸に巻き付けられたワイヤと、前記プーリーを回転させる回転手段と、先端が前記プーリーの周面に貼り付けられ、前記プーリーの回転にともなって前記プーリーの周面と前記絞りロールの周面との間に送り込まれるシートと、前記プーリーのライニング欠如部分と前記シートとの間に不定形のライニング材を充填するためのライニング材充填手段とを有することをプーリーライニングの補修装置。
【００２３】
なお、上記のプーリーライニングの欠如部分とは、ライニングが摩耗、脱落等によって窪み等を生じた部分を総称したもので、プーリーライニングの正常な外径を保持されなくなった部分を全部含む。
【００２４】
【発明の実施の形態】
本発明の一実施形態について、ベルトコンベヤのプーリーを補修する場合を例に、図１及び図２を用いて説明する。図１は、本発明の一実施形態に係るプーリーライニング補修装置を示す図であり、（ａ）が側面図、（ｂ）が正面図である。図２は、そのプーリーライニング補修装置の動作を説明する図であり、（ａ）は側面図、（ｂ）は水平方向断面図である。
【００２５】
図１において、１が補修対象のプーリーであり、コンベヤベルトを外した状態で軸受６によって回転自在に支持されている。プーリーライニングの補修装置は、補修対象のプーリー１に近接して配置されたロールスタンド１０と、ロールスタンド１０に回転自在に支持された回転軸１１と、回転軸１１の両端部近傍に取り付けられたワイヤシーブ１３と、回転軸１１を回転させるために回転軸１１の両端部に装着されたレンチ１４と、回転軸１１に軸受１２ａを介して回転自由に取り付けられた絞りロール１２と、プーリー１の周面と絞りロール１２の周面とを密着させるとともに、ワイヤシーブ１３をレンチ１４で回転させることによってプーリー１を回転させるためにワイヤシーブ１７とプーリー１との間に巻き付けられるワイヤ１６と、プーリー１の周面と絞りロール１２の周面との密着度を確保するためにワイヤ１６を引張る滑車１７及びチェーンブロック１８と、先端がプーリー１の周面に貼り付けられてプーリー１の周面と絞りロール１２の周面との間に送り込まれるシート１９と、シート１９を供給するためにロールスタンド１０に取り付けられたシート用ドラム１９ａと、プーリー１のライニング欠如部分とシート１９との間に不定形のライニング材を注入・充填するためのライニング材供給容器２１とを有している。
【００２６】
ここで、プーリー１の周面と絞りロール１２の周面との間に送り込まれるシート１９は、ライニング材に付着しないとともに注入充填されるライニング材により損傷しない強度等を有するシートであればよい。一般にはポリエチレン、ポリプロピレン等のポリオレフィン、ビニール樹脂、塩化ビニリデン樹脂等のシートが使用できる。
【００２７】
また、ここでは、不定形のライニング材を注入・充填するためのライニング材供給容器２１を設けているが、作業者が不定形のライニング材を直接注入・充填するようにしてもよい。
【００２８】
そして、上記のような補修装置を用いてプーリー１のプーリーライニングを補修する際の手順を図２を参照しながら述べる。
【００２９】
まず、上記の補修装置をプーリー１に近接して配置する。
【００３０】
次に、ワイヤシーブ１３にワイヤ１６を巻き付け、プーリー１の胴にも同様に巻き付け、そのワイヤ１６の端を接続してループを作り、そのループに滑車１７を掛け、滑車１７をチェーンブロック１８で引張り、プーリー１の周面と絞りロール１２の周面とを密着させる。
【００３１】
そして、シート用ドラム１９ａからシート１９を引き出して、シート１９の先端をプーリー１の周面に貼り、レンチ１４を矢印方向に倒してワイヤシーブ１３を回転させて、ワイヤシーブ１３とワイヤ１７を介してプーリー１を矢印方向に回転させる。これにより、プーリー１の回転にともなって絞りロール１２も矢印方向に回転し、プーリー１と絞りロール１２の間にシート１９が送り込まれる。
【００３２】
そして、プーリー１のライニング３の摩耗等によるライニング欠如部分４とシート１９との間に、ライニング材供給容器２１から不定形のライニング材２２を注入・充填しながら、レンチ１４を操作してプーリー１を矢印方向に一回転させる。これによって、ライニング欠如部分４にライニング材２２が充填され、ライニングを修復する。この際、空気を巻き込まないようにして注入する。
【００３３】
ここで用いるライニング材２２は、耐摩耗性の不定形ライニング材であればよく、一般には熱硬化性接着剤、例えば接着剤として優れたエポキシ樹脂等と耐摩耗材例えば各種セラミックス類の細粒又は燒結、細砕して得られる粉粒体等とを練り合わせたものが好ましい。セラミックス類としては炭化ケイ素、炭化ホウ素、窒化ケイ素、窒化ホウ素、溶解アルミナ、アルミナジルコニア等が挙げられる。必要に応じて溶剤、硬化促進材等が適宜配合される。また、セラミックス類に代わって金属粉、鉱物粉等も用いることができる。
【００３４】
そして、不定形ライニング材２２の硬化に必要な時間だけその状態で保持し、ライニング２２の硬化を確認した後、上記の逆手順により補修装置を取り外して、ライニングの補修作業が終了する。
【００３５】
この実施形態においては、上記のようにしてプーリーライニングの補修を行うことにより、下記のような効果を得ることができる。
【００３６】
▲１▼付着防止シートを一体化した成型ベルトを用いていないので、成型ベルトに張力を付与するためのテンションローラ等を設置する必要がなく、コンパクトな補修装置となり、補修装置の設置スペースも狭くて済み、設置のための作業時間も短くできる。
【００３７】
▲２▼ライニング補修の際にプーリー１をベルトコンベヤ設備から取り外す必要がないので、プーリー取り外し作業等の削減が図れる。
【００３８】
▲３▼常にプーリー１に絞りロール１２が密着するようになるので、ライニング厚みが均一になるように補修することができる。
【００３９】
▲４▼ライニング３の摩耗等による欠如部分４のみにライニング材２２を注入・充填するので、ライニング材の費用低減が図れる。
【００４０】
▲５▼プーリー１のライニング３の摩耗等による欠如部分４に充填されたライニング材２２は、シート１９によって保護されているので、ライニング材２２はプーリー１の下方位置でも垂れ下がることがなく、ライニング３の摩耗等による欠如部分４の表面を滑らかな状態に補修することができる。
【００４１】
▲６▼一人の作業者でプーリー１の回転とライニング材２２の注入・充填を行うことができるので、省力化を図ることが可能である。
【００４２】
▲７▼作業者がライニング材２２の注入・充填状況を観ながらプーリー１の回転を操作できるので、より良好な品質でライニングの補修を行うことが可能である。
【００４３】
▲８▼補修装置の設置またはライニング材２２の注入・充填が簡便に短時間でできるので、補修時間が短縮でき、ベルトコンベヤ設備の停止が短縮できる。ちなみに、この実施形態によって、外径５００ｍｍでライニング厚み５ｍｍのプーリーのライニングを補修した時の所要時間は２時間であり、従来方法による所要時間９〜１０時間に比べて大幅に低減できるとともに、前記特許文献２に記載の方法による所要時間４時間に比べても半減させることができる。
【００４４】
次に、本発明の他の実施形態を、同じくベルトコンベヤのプーリーを補修する場合を例に説明する。図３は、本発明の他の実施形態に係るプーリーライニング補修装置を示す図であり、（ａ）は側面図、（ｂ）は（ａ）におけるＡ−Ａ矢視図である。
【００４５】
図３において、１が補修対象のプーリーであり、コンベヤベルトを外した状態で回転自在に支持されている。プーリーライニングの補修装置は、補修対象のプーリー１に近接して配置されたロールスタンド１０と、ロールスタンド１０に回転自在に支持された回転軸１１と、回転軸１１に軸受を介して回転自由に取り付けられた絞りロール１２と、プーリー１の周面と絞りロール１２の周面とを密着させるために絞りロール１２の回転軸１１とプーリー１の回転軸５との間に巻き付けられるワイヤ１６と、プーリー１の周面と絞りロール１２の周面との密着度を確保するためにワイヤ１６を引張る滑車１７及びチェーンブロック１８と、プーリー１を回転させるための回転手段（図示せず）と、先端がプーリー１の周面に貼り付けられてプーリー１の周面と絞りロール１２の周面との間に送り込まれるシート１９と、シート１９を供給するためのシート用ドラム１９ａと、プーリー１のライニング欠如部分とシート１９との間に不定形のライニング材２２を注入・充填するためのライニング材供給容器（図示せず）とを有している。
【００４６】
そして、上記のような補修装置を用いてプーリー１のプーリーライニングを補修する際の手順を述べる。
【００４７】
まず、上記の補修装置をプーリー１に近接して配置する。
【００４８】
次に、絞りロール１２の回転軸１１とプーリー１の回転軸５との間にワイヤ１６を巻き付け、そのワイヤ１６の端を接続してループを作り、そのループに滑車１７を掛け、滑車１７をチェーンブロック１８で引張り、プーリー１の周面と絞りロール１２の周面とを密着させる。
【００４９】
そして、シート用ドラム１９ａからシート１９を引き出して、シート１９の先端をプーリー１の周面に貼り、プーリー１を回転手段によって矢印方向に回転させる。これにより、プーリー１の回転にともなって絞りロール１２も矢印方向に回転し、プーリー１と絞りロール１２の間にシート１９が送り込まれる。
【００５０】
そして、プーリー１のライニング３の摩耗等によるライニング欠如部分４とシート１９との間に、ライニング材供給容器から不定形のライニング材２２を注入・充填しながら、プーリー１を回転手段によって矢印方向に一回転させる。これによって、ライニング欠如部分４にライニング材２２が充填され、ライニングを修復する。この際、空気を巻き込まないようにして注入する。
【００５１】
なお、プーリー１の回転は作業者が人力で行ってもよい。また、不定形のライニング材２２の注入・充填は、作業者が直接注入・充填するようにしてもよい。
【００５２】
そして、不定形ライニング材２２の硬化に必要な時間だけその状態で保持し、ライニング２２の硬化を確認した後、上記の逆手順により補修装置を取り外して、ライニングの補修作業が終了する。
【００５３】
このようにして、この実施形態においても、前述の実施形態と同様に、より短時間で簡便に、既設のライニングを剥がすことなく、ライニングの摩耗した部分の表面を滑らかな状態に補修することができる。
【００５４】
なお、この実施形態においては、絞りロール１２の回転軸１１とプーリー１の回転軸５の両方にワイヤ１６を巻き付けて、プーリー１の周面と絞りロール１２の周面とを密着させているが、図４に示すように、絞りロール１２の回転軸１１に巻き付けたワイヤ１６がプーリー１の回転軸５を挟むようにしてループを作り、そのループに滑車１７を掛けてチェーンブロック１８で引張り、プーリー１の周面と絞りロール１２の周面とを密着させるようにしてもよい。
【００５５】
そして、上記の実施形態では、ベルトコンベヤのプーリーを例にして述べたが、これに限定されるものではなく、ライニングを施しているプーリーであれば、この実施形態によるライニング補修装置を適用してライニング補修を行うことによって同様な効果を得ることができる。
【００５６】
【発明の効果】
本発明は、プーリーライニングを補修するに際し、絞りロールをプーリーに密着させ、その状態でプーリーを回転させながら、プーリーと絞りロールの間に送り込まれたシートとプーリーのライニング欠如部分との間に不定形のライニング材を充填するようにしているので、より短時間で簡便に、既設のライニングを剥がすことなく、ライニングの摩耗した部分の表面を滑らかな状態に補修することができる。
【図面の簡単な説明】
【図１】本発明の一実施形態の説明図である。
【図２】本発明の一実施形態の動作説明図である。
【図３】本発明の他の実施形態の説明図である。
【図４】本発明の他の実施形態の説明図である。
【図５】プーリーライニングの摩耗状態を示す模式図である。
【符号の説明】
１  プーリー
１ａ  プーリー母材
２  鉄皮
３  ライニング
４  ライニング欠如部分
５  プーリーの回転軸
６  軸受
１０  ロールスタンド
１１  絞りロールの回転軸
１２  絞りロール
１２ａ  軸受
１３  ワイヤシーブ
１４  レンチ
１６  ワイヤ
１７  滑車
１８  チェーンブロック
１９  シート
１９ａ  シート供給用ドラム
２１  ライニング材供給容器
２２  不定形のライニング材
【図１】
2004351340.tif 000003
【図２】
2004351340.tif 000004
【図３】
2004351340.tif 000005
【図４】
2004351340.tif 000006
【図５】
2004351340.tif 000007